(57)【要約】【課題】  室外ユニットの故障診断装置において、発光部が視認部から直視できない場所に配置された場合であっても発光部からの光を視認できるようにする。【解決手段】  室外ユニット３の故障診断装置６１は、空気調和装置１の室外ユニット３に設けられており、点検口６２ａと、故障診断用ＬＥＤ６３と、反射板６４とを備えている。点検口６２ａは、室外ユニット３の外部から電装品ユニット５１の内部を視認するための角孔である。故障診断用ＬＥＤ６３は、電装品ユニット５１の内部に設けられ、空気調和装置１の正常又は異常を発光することによって表示する。反射板６４は、電装品ユニット５１の内部に設けられ、故障診断用ＬＥＤ６３からの光を点検口６２ａに向けて反射する反射面６４ａを有している。【選択図】      図４
2005195209.tif 000002
【特許請求の範囲】
【請求項１】
空気調和装置（１）の室外ユニット（３）に設けられる室外ユニットの故障診断装置であって、
前記室外ユニットにアクセスするために設けられ、前記室外ユニットの外部から前記室外ユニットの内部を視認するための視認部（６２ａ）を有するサービス部（６２）と、
前記室外ユニットの内部に設けられ、前記空気調和装置の正常又は異常を発光することによって表示する発光部（６３）と、
前記室外ユニットの内部に設けられ、前記発光部からの光を前記視認部に向けて反射する反射面（６４ａ）を有する反射部（６４）と、
を備えた室外ユニットの故障診断装置（６１）。
【請求項２】
前記反射面（６４ａ）は、凸曲面状に形成されている、請求項１に記載の室外ユニットの故障診断装置（６１）。
【請求項３】
前記反射面（６４ａ）は、表面に反射材（６９）が貼付されている、又は、表面に反射剤が塗布されている、請求項１又は２に記載の室外ユニットの故障診断装置（６１）。
【請求項４】
前記室外ユニット（３）は、電気部品が収容される電装品箱（５２）を有する電装品ユニット（５１）を備えており、
前記視認部（６２ａ）は、前記電装品箱の外部から内部を視認することができるように前記電装品箱に設けられており、
前記発光部（６３）及び前記反射部（６４）は、前記電装品箱内に設けられている、
請求項１〜３のいずれかに記載の室外ユニットの故障診断装置（６１）。
【請求項５】
前記反射部（６４）は、前記電装品箱（５２）に一体成形されている、請求項４に記載の室外ユニットの故障診断装置（６１）。
【請求項６】
前記電装品箱（５２）は、前記視認部（６２ａ）を通じて前記電装品箱の内部を視認する際に、視線方向に対して略平行な実装面（５５ａ）を有する基板（５５）を収容しており、
前記発光部（６３）は、前記基板に実装されている、
請求項４又は５に記載の室外ユニットの故障診断装置（６１）。
【請求項７】
前記室外ユニット（３）は、略直方体形状のケーシング（３１）を備えており、
前記電装品ユニット（５１）は、前記視認部（６２ａ）が前記ケーシングの側板（３５）に対向するように前記ケーシングの上部に配置されている、
請求項４〜６のいずれかに記載の室外ユニットの故障診断装置（６１）。
【請求項８】
機器及び電気部品を収容するケーシング（３１）と、
外部からアクセスするために設けられ、前記ケーシングの外部から前記ケーシングの内部を視認するための視認部（６２ａ）を有するサービス部（６２）と、
前記ケーシングの内部に設けられ、前記空気調和装置の正常又は異常を発光することによって表示する発光部（６３）と、
前記ケーシングの内部に設けられ、前記発光部からの光を前記視認部に向けて反射する反射面（６４ａ）を有する反射部（６４）と、
を備えた空気調和装置の室外ユニット（３）。
【請求項９】
空気調和装置（１）の室外ユニット（３）内に設けられ、電気部品が収容された室外ユニットの電装品ユニットであって、
前記電気部品を収容しており、外部から内部を視認するための視認部（６２ａ）を有する電装品箱（５２）と、
前記電装品箱内に設けられ、前記空気調和装置の正常又は異常を発光することによって表示する発光部（６３）と、
前記電装品箱内に設けられ、前記発光部からの光を前記視認部に向けて反射する反射面（６４ａ）を有する反射部（６４）と、
を備えた室外ユニットの電装品ユニット（５１）。
【発明の詳細な説明】
【技術分野】
【０００１】
本発明は、室外ユニットの故障診断装置、室外ユニットの電装品ユニット及びそれを備えた室外ユニットに関する。
【背景技術】
【０００２】
従来からセパレート型の空気調和装置において、空気調和装置の正常又は異常を判断して表示するための故障診断装置が設けられている。そして、空気調和装置を構成する室外ユニットに設けられている故障診断装置は、主として、点検サービス時や異常停止時等に室外ユニットにアクセスするために設けられ室外ユニットの外部から室外ユニットの内部を視認するための点検口（視認部）を有するサービス部と、室外ユニットの内部に設けられ空気調和装置の正常又は異常を発光することによって表示する故障診断用ＬＥＤ（発光部）とを備えている。故障診断用ＬＥＤの発光表示は、空気調和装置に設けられた各種センサ類の検出データやメモリに記憶されたデータ等に基づいて、マイクロコンピュータによって空気調和装置の正常又は異常を判断した結果に対応している。ここで、点検口は、室外ユニットを構成する略直方体形状のケーシングの側板に設けられている。また、故障診断用ＬＥＤは、側板に対向するように縦向きに配置された基板に他の電気部品とともに実装されている。しかも、故障診断用ＬＥＤは、点検口から直視できる位置に配置されている（例えば、特許文献１参照。）。
【特許文献１】特開平１１−２３０１０号公報
【発明の開示】
【発明が解決しようとする課題】
【０００３】
しかし、上記のように、故障診断用ＬＥＤを故障診断用ＬＥＤを点検口から直視できるように配置することによって、室外ユニット内に配置される機器や電気部品の配置に制約が生じている。
例えば、室内ユニット２に連絡配管４及び電気配線（図示せず）を介して接続されることによりセパレート型の空気調和装置１を構成するトランク型の室外ユニット３（図１及び図２参照）において、電装品ユニット１５１が、室外ユニット３のケーシング３１内の上部に配置されることがある。このような電装品ユニット１５１は、その上部が天板３７に対向するように配置され、側部がケーシング３１の側板３５に対向するように配置されている。そして、側板３５には、点検サービス時や異常停止時等に電装品ユニット１５１に対して室外ユニット３の外部からアクセスできるようにするためのサービス開口３５ａが形成されている。
【０００４】
このような電装品ユニット１５１において、電装品ユニットの小型化並びに室外ユニット全体の小型化を目的として、図３に示されるように、電装品ユニット１５１の電装品箱１５２内に配置される電気部品が実装されるプリント基板を、天板３７に沿って配置された横置き基板１５３と、側板３５に対向するように配置された縦置き基板１５４とからなる分割構造にする場合がある。この場合、室外ユニット３の故障診断装置１６１は、主として、縦置き基板１５４に配置された故障診断用ＬＥＤ１６２と、電装品箱１５２のサービス開口３５ａに対向する部分に設けられた点検口１６３とから構成されている。すなわち、故障診断用ＬＥＤ１６２は、点検口１６３から直視できる位置に配置されている。
【０００５】
このような分割構造のプリント基板１５３、１５４を採用すると、上記のように、故障診断用ＬＥＤ１６２を点検口１６３から直視できる位置に配置することができるが、横置き基板１５３と縦置き基板１５４とを接続するためのハーネス１５５が必要になる等の部品点数の増加が生じてしまい、電装品ユニット１５１、並びに室外ユニット３全体のコスト増加が生じている。
【０００６】
これに対して、分割構造のプリント基板を採用することなく、電装品ユニットの小型化を実現しようとすると、電装品箱内において、他の電気部品の配置との兼ね合いで、故障診断用ＬＥＤを故障診断用ＬＥＤからの光を点検口から直視できない位置に配置せざるを得ない状況が生じてしまうおそれがあり、結果的に、電装品ユニットの小型化を実現することができない場合がある。
【０００７】
本発明の課題は、室外ユニットの故障診断装置において、発光部が視認部から直視できない場所に配置された場合であっても発光部からの光を視認できるようにすることにある。
【課題を解決するための手段】
【０００８】
請求項１に記載の室外ユニットの故障診断装置は、空気調和装置の室外ユニットに設けられる室外ユニットの故障診断装置であって、サービス部と、発光部と、反射部とを備えている。サービス部は、室外ユニットにアクセスするために設けられ、室外ユニットの外部から室外ユニットの内部を視認するための視認部を有している。発光部は、室外ユニットの内部に設けられ、空気調和装置の正常又は異常を発光することによって表示する。反射部は、室外ユニットの内部に設けられ、発光部からの光を視認部に向けて反射する反射面を有している。
【０００９】
この室外ユニットの故障診断装置では、発光部からの光を視認部に向けて反射する反射部が設けられているため、視認部から反射面を見ることによって発光部が発光しているかどうかを視認することが可能である。このため、室外ユニット内に配置される機器や電気部品の配置上の制約により、発光部が視認部から直視できない場所に配置されている場合であっても、発光部からの光を視認部から視認できるようにすることができる。
【００１０】
これにより、室外ユニットの故障診断装置を構成する発光部を視認部から直視できる位置に配置する必要がなくなり、室外ユニット内に配置される機器や電気部品の配置の自由度が高くなるため、室外ユニットの小型化を図ることができる。
ここで、サービス部とは、主として、点検サービス時や異常停止時等にサービスマンが室外ユニットの内部に対して必要最小限のアクセスを許容することを目的として設けられる部分であり、例えば、トランク型の室外ユニット（図１及び図２参照）においては、閉鎖弁カバーを取り外した際に現われるケーシングの側板の開口やこの開口から見える電装品ユニットの側部等からなる部分をいう。また、発光部の発光表示とは、空気調和装置の正常又は異常を表示する際に発光する場合の他、空気調和装置の正常又は異常を表示する際に点滅する場合や、単一の光だけではなく複数の光を組み合わせて発光することによって空気調和装置の正常又は異常を表示する場合等を含む。
【００１１】
請求項２に記載の室外ユニットの故障診断装置は、請求項１において、反射面は、凸曲面状に形成されている。
この室外ユニットの故障診断装置では、反射面が凸曲面状に形成されているため、視認部から反射面を見る際の視線が最適な視線方向からずれた状態で見る場合であっても発光部の光を視認することができるようになり、視認性が向上する。
【００１２】
請求項３に記載の室外ユニットの故障診断装置は、請求項１又は２において、反射面は、表面に反射材が貼付されている、又は、表面に反射剤が塗布されている。
この室外ユニットの故障診断装置では、反射面の表面に、反射材が貼付されていたり、反射剤が塗布されているため、発光部の光が視認部に向けて反射されやすくなり、視認性が向上する。
【００１３】
請求項４に記載の室外ユニットの故障診断装置は、請求項１〜３のいずれかにおいて、室外ユニットは、電気部品が収容される電装品箱を有する電装品ユニットを備えている。視認部は、電装品箱の外部から内部を視認することができるように電装品箱に設けられている。発光部及び反射部は、電装品箱内に設けられている。
この室外ユニットの故障診断装置では、視認部、発光部及び反射部が電装品ユニットの電装品箱内に設けられているため、電装品ユニット内に配置される電気部品の配置上の制約により、発光部が視認部から直視できない場所に配置されている場合であっても、発光部からの光を視認部から視認できるようにすることができる。
【００１４】
これにより、室外ユニットの故障診断装置を構成する発光部を視認部から直視できる位置に配置する必要がなくなり、電装品ユニット内に配置される電気部品の配置の自由度が高くなるため、電装品ユニットの小型化を図ることができる。
請求項５に記載の室外ユニットの故障診断装置は、請求項４において、反射部は、電装品箱に一体成形されている。
【００１５】
この室外ユニットの故障診断装置では、反射部が電装品箱に一体成形されているため、部品点数の増加並びにコスト増加を抑えることができる。
請求項６に記載の室外ユニットの故障診断装置は、請求項４又は５において、電装品箱は、視認部を通じて電装品箱の内部を視認する際に、視線方向に対して略平行な実装面を有する基板を収容している。発光部は、基板に実装されている。
【００１６】
この室外ユニットの故障診断装置では、視認部を通じて電装品箱の内部を視認する際の視線方向に対して略平行な実装面を有する基板に発光部が実装されているため、視認部と発光部との間に他の電気部品が実装されて発光部を視認部から直視できない場合がある。しかし、このような場合であっても、視認部から反射部を見ることによって発光部からの光を視認することができる。
【００１７】
請求項７に記載の室外ユニットの故障診断装置は、請求項４〜６のいずれかにおいて、室外ユニットは、略直方体形状のケーシングを備えている。電装品ユニットは、視認部がケーシングの側板に対向するようにケーシングの上部に配置されている。
この室外ユニットの故障診断装置では、視認部が室外ユニットのケーシングの側板に対向するようにケーシングの上部に配置されており、点検サービス時や異常停止時等にサービスマンが容易にアクセスできるため、視認性が向上する。
【００１８】
請求項８に記載の空気調和装置の室外ユニットは、ケーシングと、サービス部と、発光部と、反射部とを備えている。ケーシングは、機器及び電気部品を収容する。サービス部は、外部からアクセスするために設けられ、ケーシングの外部からケーシングの内部を視認するための視認部を有している。発光部は、ケーシングの内部に設けられ、空気調和装置の正常又は異常を発光することによって表示する。反射部は、ケーシングの内部に設けられ、発光部からの光を視認部に向けて反射する反射面を有している。
【００１９】
この空気調和装置の室外ユニットでは、発光部からの光を視認部に向けて反射する反射部が設けられているため、視認部から反射面を見ることによって発光部が発光しているかどうかを視認することが可能である。このため、ケーシング内に配置される機器や電気部品の配置上の制約により、発光部が視認部から直視できない場所に配置されている場合であっても、発光部からの光を視認部から視認できるようにすることができる。
【００２０】
これにより、室外ユニットの故障診断装置を構成する発光部を視認部から直視できる位置に配置する必要がなくなり、ケーシング内に配置される機器や電気部品の配置の自由度が高くなるため、ケーシングの小型化を図ることができる。
請求項９に記載の室外ユニットの電装品ユニットは、空気調和装置の室外ユニット内に設けられ、電気部品が収容された室外ユニットの電装品ユニットであって、電装品箱と、発光部と、反射部とを備えている。電装品箱は、電気部品を収容しており、外部から内部を視認するための視認部を有している。発光部は、電装品箱内に設けられ、空気調和装置の正常又は異常を発光することによって表示する。反射部は、電装品箱内に設けられ、発光部からの光を視認部に向けて反射する反射面を有している。
【００２１】
この室外ユニットの電装品ユニットでは、発光部からの光を視認部に向けて反射する反射部が設けられているため、視認部から反射面を見ることによって発光部が発光しているかどうかを視認することが可能である。このため、電装品箱内に配置される電気部品の配置上の制約により、発光部が視認部から直視できない場所に配置されている場合であっても、発光部からの光を視認部から視認できるようにすることができる。
【００２２】
これにより、室外ユニットの故障診断装置を構成する発光部を視認部から直視できる位置に配置する必要がなくなり、電装品ユニット内に配置される電気部品の配置の自由度が高くなるため、電装品ユニットの小型化を図ることができる。
【発明の効果】
【００２３】
以上の説明に述べたように、本発明によれば、以下の効果が得られる。
請求項１にかかる発明では、発光部の光を視認部に向けて反射する反射部が設けられているため、視認部から反射面を見ることによって発光部が発光しているかどうかを視認することが可能となり、室外ユニット内に配置される機器や電気部品の配置上の制約により、発光部が視認部から直視できない場所に配置されている場合であっても、発光部からの光を視認部から視認できるようにすることができる。
【００２４】
請求項２にかかる発明では、反射面が凸曲面状に形成されているため、視認部から反射面を見る際の視線が最適な視線方向からずれた状態で見る場合であっても発光部の光を視認することができるようになり、視認性が向上する。
請求項３にかかる発明では、反射面の表面に、反射材が貼付されていたり、反射剤が塗布されているため、発光部の光が視認部に向けて反射されやすくなり、視認性が向上する。
【００２５】
請求項４にかかる発明では、視認部、発光部及び反射部が電装品ユニットの電装品箱内に設けられているため、電装品ユニット内に配置される電気部品の配置上の制約により、発光部が視認部から直視できない場所に配置されている場合であっても、発光部からの光を視認部から視認できるようにすることができる。
請求項５にかかる発明では、反射部が電装品箱に一体成形されているため、部品点数の増加並びにコスト増加を抑えることができる。
【００２６】
請求項６にかかる発明では、視認部を通じて電装品箱の内部を視認する際の視線方向に対して略平行な実装面を有する基板に発光部が実装されているため、視認部と発光部との間に他の電気部品が実装されて発光部を視認部から直視できない場合がある。しかし、このような場合であっても、視認部から反射部を見ることによって発光部からの光を視認することができる。
【００２７】
請求項７にかかる発明では、視認部が室外ユニットのケーシングの側板に対向するようにケーシングの上部に配置されており、点検サービス時や異常停止時等にサービスマンが容易にアクセスできるため、視認性が向上する。
請求項８にかかる発明では、発光部からの光を視認部に向けて反射する反射部が設けられているため、視認部から反射面を見ることによって発光部が発光しているかどうかを視認することが可能となり、ケーシング内に配置される機器や電気部品の配置上の制約により、発光部が視認部から直視できない場所に配置されている場合であっても、発光部からの光を視認部から視認できるようにすることができる。
【００２８】
請求項９にかかる発明では、発光部からの光を視認部に向けて反射する反射部が設けられているため、視認部から反射面を見ることによって発光部が発光しているかどうかを視認することが可能となり、電装品箱内に配置される電気部品の配置上の制約により、発光部が視認部から直視できない場所に配置されている場合であっても、発光部からの光を視認部から視認できるようにすることができる。
【発明を実施するための最良の形態】
【００２９】
以下、本発明にかかる室外ユニットの故障診断装置、室外ユニットの電装品箱及びそれを備えた室外ユニットの実施形態について、図面に基づいて説明する。
（１）空気調和装置の外観構成
本発明の一実施形態が採用された空気調和装置１の外観図を図１に示す。
空気調和装置１は、セパレート型の空気調和装置であり、室内の壁面等に装着される室内ユニット２と、室外に設置される室外ユニット３と備えている。室内ユニット２と室外ユニット３とは、連絡配管４及び電気配線（図示せず）を介して接続されている。
【００３０】
（２）室外機ユニット
室外ユニット３の分解斜視図を図２に示す。
室外ユニット３は、略直方体形状のケーシング３１を備えている。ケーシング３１は、底フレーム３２、前面パネル３３、側板３４、３５、後面保護金網３６、天板３７等から構成されている。そして、側板３５には、閉鎖弁カバー３８が着脱可能に取り付けられている。
【００３１】
前面パネル３３の内方には、ベルマウス４１と仕切板４２とが配置されている。ベルマウス４１の後方には、ファンモータ台４３ａが配置されている。ファンモータ台４３ａには、ファンモータ４３ｂが固定されている。ファンモータ４３ｂの駆動軸には、プロペラファン４３ｃが止めナット４３ｄによって装着されている。仕切板４２は、底フレーム３２の上側の空間を、後面保護金網３６付近及び天板３７付近を除いて、プロペラファン４３ｃ等が配置される送風機室と、仕切板４２を挟んでプロペラファン４３ｃと対向する空間からなる機械室とに分割するように配置されている。
【００３２】
仕切板４２を挟んでプロペラファン４３ｃと対向する機械室には、リアクタ４４、圧縮機４５、ガス閉鎖弁４６、液閉鎖弁４７等が配置されている。
プロペラファン４３ｃの後方の後面保護金網３６付近の送風機室及び機械室をまたがる空間には、略Ｌ字形状に形成された室外熱交換器４が配置されている。
プロペラファン４３ｃの上方の天板３７付近の送風機室及び機械室をまたがる空間には、電装品ユニット５１が配置されている。この電装品ユニット５１には、パワートランジスタや、装置の制御を行うためのマイクロコンピュータチップや制御プログラムを格納するメモリ等の制御回路部品や、その他の回路部品等を含む各種電気部品が収容されている。
【００３３】
（３）電装品ユニット
電装品ユニット５１を室外ユニット３の正面側から見た断面図を図４に示し、図４のＡ矢視図（基板が取り外された状態の電装品ユニット５１）を図５に示し、図４のＢ矢視図（端子盤が取り付けられた状態の電装品ユニット５１）を図６に示す。
この電装品ユニット５１は、主として、電装品箱５２と、電装品箱５２に装着された放熱フィン５３と、電装品箱５２内に収容されたプリント基板５５等の各種電気部品とから構成されている。
【００３４】
電装品箱５２は、上部に開口を有する樹脂製の部材であり、プリント基板５５を含む各種電気部品を収容している。電装品箱５２は、主として、前面部５２ａと、後面部５２ｂと、第１側面部５２ｃと、第２側面部５２ｄと、底面部５２ｅとを有している。電装品箱５２の上部の開口は、各種電気部品が収容された状態で、絶縁シートとしての上面板（図示せず）により閉じられる。前面部５２ａは、電装品ユニット５１が室外ユニット３に取り付けられた状態において、ケーシング３１の前面パネル３３に対向する面である。後面部５２ｂは、電装品ユニット５１が室外ユニット３に取り付けられた状態において、ケーシング３１の後面保護金網３６とに対向する面である。第１側面部５２ｃは、電装品ユニット５１が室外ユニット３に取り付けられた状態において、側板３５に対向する面である。第１側面部５２ｃの略中央には、端子盤５４が装着されている。第２側面部５２ｄは、電装品ユニット５１が室外ユニット３に取り付けられた状態において、側板３４と対向する側面である。底面部５２ｅは、前面部５２ａの下端部、後面部５２ｂの下端部、第１側面部５２ｃの上下方向の中間付近及び第２側面部５２ｄの下端部を結ぶ面であり、両側面部５２ｃ、５２ｄ方向の中間付近の部分が仕切板４２（図２参照）の上端部に当接している。すなわち、電装品箱５２は、その第１側面部５２ｃ側の部分が機械室に対向するように配置され、第２側面部５２ｄ側の部分が送風機室に対向するように配置されている。そして、底面部５２ｅの送風機室側の部分には、本実施形態においては、開口からなるフィン装着部５２ｆが形成されており、放熱フィン５３が装着されている。
【００３５】
放熱フィン５３は、金属製の部材であり、パワートランジスタ等の発熱の大きな電気部品の温度が上昇するのを防ぐために設けられている。
プリント基板５５は、パワートランジスタや、装置の制御を行うためのマイクロコンピュータチップや制御プログラムを格納するメモリ等の制御回路部品や、その他の回路部品を実装するための板状の部材であり、電気部品を実装する実装面５５ａが下方を向くように、電装品箱５２内に配置されている。具体的には、プリント基板５５は、その実装面５５ａと電装品箱５２の底面部５２ｅの内面との上下方向間に間隔を空けて配置されている。これにより、プリント基板５５の実装面５５ａに実装された電気部品は、実装面５５ａと底面部５２ｅの内面との上下方向間の空間Ｓに配置されることになる。
【００３６】
また、室外ユニット３には、故障診断装置６１が設けられている。この故障診断装置６１は、空気調和装置１の正常又は異常を判断して室外ユニット３に表示するため装置である。
（４）室外ユニットの故障診断装置
次に、室外ユニット３の故障診断装置６１について、図４〜８を用いて説明する。ここで、図７は、図５のＣ部分の拡大図であって、反射板６４の斜視図である。図８は、故障診断装置６１の機能ブロック図である。
【００３７】
故障診断装置６１は、主として、室外ユニット３の外部から室外ユニット３の内部を視認するための点検口６２ａ（視認部）を有するサービス部６２と、室外ユニット３の内部に設けられ空気調和装置１の正常又は異常を発光することによって表示する故障診断用ＬＥＤ６３（発光部）と、室外ユニット３の内部に設けられ、故障診断用ＬＥＤ６３からの光を点検口６２ａに向けて反射する反射面６４ａを有する反射板６４（反射部）とから構成されている。
【００３８】
サービス部６２は、点検サービス時や異常停止時等にサービスマンが室外ユニット３の内部に対して必要最小限のアクセスを許容することを目的として設けられる部分であり、主として、室外ユニット３の閉鎖弁カバー３８を取り外すことによってケーシング３１の側板３５の上部に現れるサービス開口３５ａと、サービス開口３５ａに対向する電装品ユニット５１の第１側面部５２ｃに形成された電装品箱５２の内部を視認するための点検口６２ａとから構成されている。そして、第１側面部５２ｃに装着された端子盤５４は、サービス開口３５ａからアクセスできるようになっている。点検口６２ａは、サービス開口３５ａから第１側面部５２ｃを見た際に、端子盤５４が装着された部分の横の部分に形成された角孔である。また、この点検口６２ａは、電装品箱５２内におけるプリント基板５５の実装面５５ａと電装品箱５２の底面部５２ｅの内面との上下方向間の空間Ｓを視認することができるように形成されている。尚、点検口６２ａの形状は、角孔に限定されず、円孔等の他の形状であってもよい。
【００３９】
故障診断用ＬＥＤ６３は、本実施形態において、単一の発光ダイオードであり、電装品ユニット５１のプリント基板５５に実装されている。すなわち、故障診断用ＬＥＤ６３は、電装品箱５２内におけるプリント基板５５の実装面５５ａと電装品箱５２の底面部５２ｅの内面との上下方向間の空間Ｓに配置されている。故障診断用ＬＥＤ６３の発光表示は、空気調和装置１の各種センサ類６５の検出データや記憶部としてのメモリ６６に記憶されたデータ等に基づいて、判断部としてのマイクロコンピュータ６７によって空気調和装置１の正常又は異常を判断した結果に対応している（図８参照）。ここで、点検口６２ａと故障診断用ＬＥＤ６３との間には、本実施形態において、他の電気部品６８が実装されており、故障診断用ＬＥＤ６３からの光を点検口６２ａから直視できない状態になっている（図４の矢印Ｆ参照）。
【００４０】
反射板６４は、本実施形態において、電装品ユニット５１の電装品箱５２内に設けられた板状の部分であり、故障診断用ＬＥＤ６３からの光を点検口６２ａに向けて反射する機能を有している。このため、サービスマンが点検口６２ａから電装品ユニット５１の電装品箱５２内（具体的には、空間Ｓ）を見ると、故障診断用ＬＥＤ５３が発光している場合には、反射板６４の反射面６４ａが故障診断用ＬＥＤ６３からの光を点検口６２ａに向けて反射するため、故障診断用ＬＥＤ６３からの光を点検口６２ａから直視できない状態になっているにもかかわらず、故障診断用ＬＥＤ６３からの光を視認することができるようになっている（図４及び図５の矢印Ｇ参照）。また、反射板６４は、本実施形態において、電装品箱５２の底面部５２ｅに樹脂一体成形されている。このため、部品点数の増加並びにコスト増加を抑えることができるようになっている。また、反射板６４の反射面６４ａは、凸曲面状に形成されている（図７参照）。このため、点検口６２ａから反射面６４ａを見る際の視線が最適な視線方向からずれた状態で見る場合であっても、故障診断用ＬＥＤ６３からの光を視認することができるようになっており、視認性が向上している。さらに、反射面６４ａの表面には、樹脂製テープからなる反射材６９が貼り付けられている。このため、故障診断用ＬＥＤ６３からの光が点検口６２ａに向けて反射されやすくなっており、視認性が向上している。ここで、樹脂製テープの材質は、ポリプロピレン、ポリエステル、ナイロン、ビニール等を使用することができる。また、樹脂製テープの色は、透明又は白色が望ましい。
【００４１】
（５）室外ユニットの故障診断装置の特徴
本実施形態の室外ユニット３の故障診断装置６１には、以下のような特徴がある。
（Ａ）
本実施形態の電装品ユニット５１においては、電装品ユニット５１の点検口６２ａを通じて電装品箱５２の内部を視認する際の視線方向に対して略平行な実装面５５ａを有するプリント基板５５に故障診断用ＬＥＤ６３が実装されているため、点検口６２ａと故障診断用ＬＥＤ６３との間に他の電気部品６８が実装されて故障診断用ＬＥＤ６３を点検口６２ａから直視できない状態になっている（図４参照）。しかし、本実施形態の故障診断装置６１では、故障診断用ＬＥＤ６３からの光を点検口６２ａに向けて反射する反射板６４が設けられているため、点検口６２ａから反射面６４ａを見ることによって故障診断用ＬＥＤ６３が発光しているかどうかを視認することが可能である。このように、電装品ユニット５１の電装品箱５２内に配置される電気部品（具体的には、電気部品６８）の配置上の制約により、故障診断用ＬＥＤ６３が点検口６２ａから直視できない場所に配置されている場合であっても、故障診断用ＬＥＤ６３からの光を点検口６２ａから視認することができる。
【００４２】
これにより、故障診断装置６１を構成する故障診断用ＬＥＤ６３を点検口６２ａから直視できる位置に配置する必要がなくなり、電装品ユニット５１内に配置される電気部品の配置の自由度が高くなるため、電装品ユニット５１の小型化を図ることができる。
例えば、従来の故障診断装置１６１を採用した電装品ユニット１５１（図３参照）と比較すると、従来の電装品ユニット１５１では、電気部品が実装される基板を、天板３７に沿って配置された横置き基板１５３と、側板３５に対向するように配置された縦置き基板１５４とからなる分割構造にするとともに、故障診断用ＬＥＤ１６２を点検口１６３から直視可能な縦置き基板１５４に配置しているため、故障診断用ＬＥＤ１６２の点検口１６３からの視認性には問題は生じないが、横置き基板１５３と縦置き基板１５４とを接続するためのハーネス１５５が必要になる等の部品点数の増加が生じてしまい、電装品ユニット１５１のコスト増加が生じている。しかし、本実施形態の故障診断装置６１を採用した電装品ユニット５１では、点検口６２ａから故障診断用ＬＥＤ６３を直視できない位置に配置することを許容できるため、従来の横置き基板１５３に対応する単一のプリント基板５５に故障診断用ＬＥＤ６３を含めた電気部品を自由に配置することができる。これにより、従来のような分割構造の基板１５３、１５４を採用する必要がなくなり、電装品ユニット５１の小型化を実現することができる。そして、このような電装品ユニット５１の小型化により、室外ユニット３のケーシング３１内に配置される機器の配置の自由度が高くなるため、ケーシング３１、すなわち、室外ユニット３の小型化を図ることができる。
【００４３】
（Ｂ）
本実施形態の故障診断装置６１では、反射板６４の反射面６４ａが凸曲面状に形成されているため、点検口６２ａから反射面６４ａを見る際の視線が最適な視線方向からずれた状態で見る場合であっても故障診断用ＬＥＤ６３からの光を視認することができるようになり、視認性が向上している。
【００４４】
（Ｃ）
本実施形態の故障診断装置６１では、反射板６４の反射面６４ａの表面に、樹脂製テープからなる反射材６９が貼り付けられているため、故障診断用ＬＥＤ６３からの光が点検口６２ａに向けて反射されやすくなり、低コストで視認性の向上を実現することができる。
【００４５】
（Ｄ）
本実施形態の故障診断装置６１では、反射板６４が電装品箱５２に一体成形されているため、部品点数の増加並びにコスト増加を抑えることができる。
（Ｅ）
本実施形態の故障診断装置６１では、点検口６２ａが室外ユニット３のケーシング３１の側板３５に対向するようにケーシング３１の上部に配置されており、点検サービス時や異常停止時等にサービスマンが容易にアクセスできるため、視認性が向上している。
【００４６】
（６）他の実施形態
以上、本発明の実施形態について図面に基づいて説明したが、具体的な構成は、これらの実施形態に限られるものではなく、発明の要旨を逸脱しない範囲で変更可能である。
（Ａ）
前記実施形態では、本発明をトランク型の室外ユニットに適用した例について説明したが、これに限定されず、他の型式の室外ユニットにも適用してもよい。
【００４７】
（Ｂ）
前記実施形態では、故障診断用ＬＥＤが単一の発光ダイオードであったが、これに限定されず、複数の発光ダイオードを組み合わせて発光表示する、いわゆる、セグメント方式の発光ダイオードを使用してもよい。
（Ｃ）
前記実施形態では、反射面の視認性の向上のために樹脂製テープからなる反射材を貼り付けた例を説明したが、これに限定されず、アルミニウム製テープや紙製テープを貼り付けてもよい。尚、紙製テープを使用する場合には、表面が樹脂コーティングされた光沢紙であることが望ましく、さらに、色は白色であることが望ましい。
【００４８】
また、反射面の表面に反射材を貼り付けるのではなく、反射面の表面に白色又は透明の塗料を反射剤として塗布してもよい。
また、反射板を電装品ユニットの電装品箱と樹脂一体成形する場合に電装品箱の色を白色にする等により、反射板自体を白色にすれば、反射材の貼り付けや反射剤の塗布を省略することが可能である。
【産業上の利用可能性】
【００４９】
本発明を利用すれば、室外ユニットの故障診断装置において、発光部が視認部から直視できない場所に配置された場合であっても発光部からの光を視認できるようにすることができる。
【図面の簡単な説明】
【００５０】
【図１】空気調和装置の外観図である。
【図２】室外ユニットの分解斜視図である。
【図３】従来の室外ユニットの電装品ユニットを室外ユニットの正面側から見た断面図である。
【図４】本発明の一実施形態にかかる室外ユニットの電装品ユニットを室外ユニットの正面側から見た断面図である。
【図５】図４のＡ矢視図であって、基板が取り外された状態の電装品ユニットを示す図である。
【図６】図４のＢ矢視図であって、端子盤が取り付けられた状態の電装品ユニットを示す図である。
【図７】図５のＣ部分の拡大図であって、反射板の斜視図である。
【図８】故障診断装置の機能ブロック図である。
【符号の説明】
【００５１】
１  空気調和装置
３  室外ユニット
３１  ケーシング
３５  側板
５１  電装品ユニット
５２  電装品箱
５５  プリント基板（基板）
５５ａ  実装面
６２  サービス部
６２ａ  点検口（視認部）
６３  故障診断用ＬＥＤ（発光部）
６４  反射板（反射部）
６４ａ  反射面
６９  反射材
【図１】
2005195209.tif 000003
【図２】
2005195209.tif 000004
【図３】
2005195209.tif 000005
【図４】
2005195209.tif 000006
【図５】
2005195209.tif 000007
【図６】
2005195209.tif 000008
【図７】
2005195209.tif 000009
【図８】
2005195209.tif 000010